【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
多目的画像化装置であって、以下：
本体；および
該本体内に収容された画像化手段、
を備え、
ここで、該本体が、複数のアダプターのうちの１つと取り外し可能に係合するように適合され、各アダプターは、該アダプターを通って延びる開口を有し、そのように係合された場合、該画像化手段の光軸の少なくとも一部分が隠されないように、該開口が該画像化手段の光軸と整列し、そしてここで、各アダプターは、別個の診断目的のために、該光軸内の物体を照射するための光学を有する、
装置。
【請求項２】
前記画像化手段がデジタルカメラである、請求項１に記載の多目的画像化装置。
【請求項３】
請求項１〜２のいずれか１項に記載の多目的画像化装置であって、画像化手段によって取り込まれる画像を保存するためのリムーバブルメモリ手段をさらに備える、装置。
【請求項４】
前記本体が、手で運ばれるように適合されている、請求項１〜３のいずれか１項に記載の多目的画像化装置。
【請求項５】
請求項１〜４のいずれか１項に記載の多目的画像化装置のためのアダプターであって、該アダプターは、以下：
診断目的のために、前記画像化手段の光軸内で物体を照射するための光学；
前記本外と取り外し可能に係合するための手段；および
そこを通って延びる開口、
を備え、
該本体と取り外し可能に係合した場合、該開口が、該光軸と整列し、その結果、該画像化手段の光軸の少なくとも一部分が隠されない、
アダプター。
【請求項６】
スリットランプとして機能するように配置された光学を有する、請求項５に記載のアダプター。
【請求項７】
前記光学が、第１のスリットランプデバイスおよび第２のスリットランプデバイスを備えるように配置される、請求項６に記載のアダプター。
【請求項８】
前記光学が、少なくとも１つの固体ランプによって生成される光のビームを含む、請求項６または請求項７に記載のアダプター。
【請求項９】
前記光学が、狭いスリットを規定するための構造体を備え、前記光のビームが、該スリットを通過する場合、該狭いスリットによって側方が切り取られる、請求項８に記載のアダプター。
【請求項１０】
前記構造体の位置が、前記狭いスリットの幅を対応して調整するように調整され得る、請求項９に記載のアダプター。
【請求項１１】
前記狭いスリットの幅が、０．０８ｍｍである、請求項９または請求項１０に記載のアダプター。
【請求項１２】
請求項９〜１１のいずれか１項に記載のアダプターであって、前記光学が、前記狭いスリットと整列された集束手段をさらに備え、該集束手段が、前記側方が切り取られた光ビームを光のスリットに集束するように配置される、アダプター。
【請求項１３】
前記集束手段が、均一な半円断面のプリズムである、請求項１２に記載のアダプター。
【請求項１４】
前記光学が、前記物体にバックグラウンド照射を提供するための光源をさらに備える、請求項６〜１３のいずれか１項に記載のアダプター。
【請求項１５】
赤色反射を画像化するように配置された光学を有する、請求項６に記載のアダプター。
【請求項１６】
前記光学が、前記開口内に収容されたビームスプリッター、および該ビームスプリッターに対して実質的に直角に配置された光源を備える、請求項１５に記載のアダプター。
【請求項１７】
前記ビームスプリッターにより分割される光の少なくとも一部分が、前記画像化手段の光軸に沿って反射される、請求項１６に記載のアダプター。
【請求項１８】
請求項１７に記載のアダプターであって、該アダプターは、前記ビームスプリッターにより反射されない、前記画像化手段の光軸に沿った光の少なくとも幾分かを、該画像化手段の光軸から伝達するために、前記光源と同じ面にあるさらなる開口を有する、アダプター。
【請求項１９】
前記物体の蛍光を画像化するように配置された光学を有する、請求項６に記載のアダプター。
【請求項２０】
前記光学が、青色光を生成する少なくとも１つの光源を備える、請求項１９に記載のアダプター。
【請求項２１】
前記光学が、複数の光源を備え、該複数の光源の各々が、青色光を生成し、該複数の光源が、前記物体が該青色光によって均一に照射されるように、前記アダプターの周りに配置される、請求項２０に記載のアダプター。
【請求項２２】
前記光学が、前記画像化手段の光軸の経路における開口内に受容される、少なくとも１つの黄色フィルターを備える、請求項１９〜２１のいずれか１項に記載のアダプター。
【請求項２３】
涙液膜（ｔｅａｒ−ｆｉｌｍ）を画像化するように配置された光学を有する、請求項６に記載のアダプター。
【請求項２４】
被験体のｎｉｂｕｔ画像を取るように配置された光学を有する、請求項６に記載のアダプター。
【請求項２５】
皮膚科学画像を捕捉するように配置された光学を有する、請求項６に記載のアダプター。
【請求項２６】
前記光学が、開放端を有するシリンダーを備え、複数の光源は、該開放端の一端の周りで円周状に配置される、請求項２３〜２５のいずれか１項に記載のアダプター。
【請求項２７】
前記光源が発光ダイオードである、請求項２６に記載のアダプター。
【請求項２８】
前記複数の光源の配置が、均一な光源が生成されるような配置である、請求項２６または２７に記載のアダプター。
【請求項２９】
請求項２４に従属する場合の、請求項２６〜２８のいずれか１項に記載のアダプターであって、前記シリンダーが透明であり、かつ該シリンダーの内部表面が印刷された格子パターンを有する、アダプター。
【請求項３０】
請求項２４に従属する場合の、請求項２６〜２８のいずれか１項に記載のアダプターであって、前記シリンダーがその内部表面の周りで、印刷された格子パターンを有するフィルムを受容するように適合される、アダプター。
【請求項３１】
請求項２５に従属する場合の、請求項２５〜２８のいずれか１項に記載のアダプターであって、前記光学が、前記画像化手段の光軸と交差するように配置された拡大レンズをさらに備える、アダプター。
【請求項３２】
眼底カメラとして機能するように配置された光学を有する、請求項６に記載のアダプター。
【請求項３３】
前記光学が、前記開口内に受容されるビームスプリッターおよび該ビームスプリッターに対して実質的に直角に配置される光源を備える、請求項３２に記載のアダプター。
【請求項３４】
前記ビームスプリッターによって分割される光の少なくとも一部が、前記画像化手段の光軸に沿って反射される、請求項３３に記載のアダプター。
【請求項３５】
前記画像化手段の光軸に沿って反射された光が、二重凸面レンズによって集束されて、ヒトの眼の虹彩および水晶体を透過する、請求項３４に記載のアダプター。
【請求項３６】
前記画像化手段の光軸から離れて、該画像化手段の光軸に沿って前記ビームスプリッターによって反射されない少なくとも幾らかの光を伝達するために光源と同じ平面にさらなる開口を有する、請求項３３または３４に記載のアダプター。
【請求項３７】
歯科画像を捕捉するように配置された光学を有する、請求項６に記載のアダプター。
【請求項３８】
歯科鏡を受容するように適合された少なくとも１つの角度のついた開口をさらに備え、それにより、該歯科鏡の鏡部分は、前記画像化手段の光軸と交差する、請求項３７に記載のアダプター。
【請求項３９】
前記アダプターが、歯科鏡を受容するように適合された２つの角度のついた開口を有し、該２つの角度のついた開口は、該開口に対して互いに対向して配置される、請求項３８に記載のアダプター。
【請求項４０】
耳鏡として機能するように配置された光学を有する、請求項６に記載のアダプター。
【請求項４１】
前記アダプターが取り外し可能な耳栓を備える、請求項４０に記載のアダプター。
【請求項４２】
前記取り外し可能な耳栓が、テーパー状の端部において開口を有し、前記光学が、光線を該開口を通って指向させて、耳の一部を照らす光源を備える、請求項４１に記載のアダプター。
【請求項４３】
前記光学が、前記光軸と交差するレンズおよび該光軸に沿って表示可能な画像を集束するための集束手段を備える、請求項４０〜４２のいずれか１項に記載のアダプター。
【請求項４４】
多目的画像化システムであって、以下：
請求項１〜５のいずれか１項に記載の多目的画像化装置；
該多目的画像化装置に解放可能に係合する、請求項６〜４３のいずれか１項に記載の少なくとも１つのアダプター；および
処理ユニット、
を備え、ここで、該多目的画像化装置によって捕捉される画像は、保存および／またはさらなる処理のために該処理ユニットに伝送される、多目的画像化システム。
【請求項４５】
前記システムの構成要素が、予め形成されたケースの構成要素内に受容されるように適合され、該ケースは、前記処理ユニットに電力を供給するようにさらに適合される、請求項４４に記載の多目的画像化システム。